(57)【要約】      （修正有）【課題】編み針の軸部の形状に工夫を講じることによって、様々な要求に対する満足度合いを従来例に比べて改善することのできる編み針を提供する。【解決手段】軸部１０が、円弧面によって形成されたコーナー部１１を挟む両側に平坦面１２を有してなる略正多角形の断面形状を有する。コーナー部１１を形成している円弧面の曲率半径ｒが、略正多角形の内心Ｐからコーナー部１１までの距離に一致している。丸棒の外周面の間隔を隔てた複数箇所を削り取ることによって平坦面１２を形成し、相隣接する２つの平坦面１２の相互間のコーナー部１１を、丸棒の外周面の一部を残存させてなる円弧面によって形成する。略正多角形には略正四角形が含まれる。【選択図】図３
0003223458.tif 000002
【実用新案登録請求の範囲】
【請求項１】
軸部の先端が先尖り状又は鈎状に形作られている編み針であって、
上記軸部が、円弧面によって形成されたコーナー部を挟む両側に平坦面を有してなる略正多角形の断面形状を有し、コーナー部を形成している上記円弧面の曲率半径が、上記略正多角形の内心から上記コーナー部までの距離に一致していることを特徴とする編み針。
【請求項２】
丸棒の外周面の間隔を隔てた複数箇所を削り取ることによって上記平坦面が形成され、相隣接する２つの平坦面の相互間のコーナー部が丸棒の上記外周面の一部を残存させてなる円弧面によって形成されている請求項１に記載した編み針。
【請求項３】
上記略正多角形が、同一幅の４つの上記平坦面と及び同一幅の４つの上記円弧面とを有する略正四角形である請求項１又は請求項２に記載した編み針。
【考案の詳細な説明】
【技術分野】
【０００１】
本考案は、棒針編みの編み物を編むときに使用される手芸用品としての編み針に関する。
【背景技術】
【０００２】
この種の編み針には、軸部の先端が先尖り状に形作られている棒針や、軸部の先端が鈎状に形作られている鈎針のほか、輪針、なわ編み針などが知られている（たとえば特許文献１、特許文献２、特許文献３参照）。
【０００３】
図７は従来例による編み針Ａの一部破断側面図、図８は図７の編み針ＡのＶＩＩＩ−ＶＩＩＩ線に沿う部分の拡大断面図である。図７に示した図例の編み針Ａは棒針であり、まっすぐな軸部１０の先端が先尖り状に形作られている。そして、図８のように、軸部１０が中実円形の断面形状を有している。
【先行技術文献】
【特許文献】
【０００４】
【特許文献１】特開２０１６−２３３９８号公報
【特許文献２】実用新案登録第３１７３４８０号公報
【特許文献３】特開２０１３−１９９７２４号公報
【考案の概要】
【考案が解決しようとする課題】
【０００５】
ところで、編み針においては、使用中に容易に折れたり曲がったりしないこと、編み目を揃えやすいこと、編み針に巻き掛けた毛糸に他の編み針を通しやすいこと、毛糸との摩擦が少ないこと、編み針にサイズなどを刻印しやすいこと、刻印による表示が見やすいこと、刻印が毛糸に引掛からないこと、手触りがよいこと、などが要求される。これらの要求に対処することを意図して、編み針の材料を適切に選択したり編み針の全体形状を適切に選択したりすることも行われている。
【０００６】
本考案は以上の状況の下でなされたものであり、編み針の軸部の形状に工夫を講じることによって、上掲したような様々な要求に対する満足度合いを従来例に比べて改善することのできる編み針を提供することを目的とする。
【課題を解決するための手段】
【０００７】
本考案に係る編み針は、軸部の先端が先尖り状又は鈎状に形作られている編み針であって、上記軸部が、円弧面によって形成されたコーナー部を挟む両側に平坦面を有してなる略正多角形の断面形状を有し、コーナー部を形成している上記円弧面の曲率半径が、上記略正多角形の内心から上記コーナー部までの距離に一致している、というものである。
【０００８】
このように構成された編み針によれば、編み目も揃えやすくなり、また、編み針に巻き掛けた毛糸に他の編み針を通しやすくなり、併せて、毛糸との摩擦も少なくなる。さらに、軸部の平坦面を利用してサイズなどを容易に刻印することが可能になり、刻印による表示も見やすくなる。そのうえ、刻印が毛糸に引掛からなくなり、手触りもよくなる。加えて、コーナー部を形成せずに単純に正多角形の断面形状とする場合と比べて、軸部の強度が向上する。
【０００９】
本考案では、丸棒の外周面の間隔を隔てた複数箇所を削り取ることによって上記平坦面が形成され、相隣接する２つの平坦面の相互間のコーナー部が丸棒の上記外周面の一部を残存させてなる円弧面によって形成されている、ことが望ましい。これによれば、コーナー部に毛羽立ったようなささくれが生じにくい。
【００１０】
本考案では、上記略正多角形が、同一幅の４つの上記平坦面と及び同一幅の４つの上記円弧面とを有する略正四角形である、という構成を採用することが可能である。これによっても、上記した作用が良好に発揮される。
【考案の効果】
【００１１】
以上説明したように、本考案に係る編み針によると、編み針の軸部の形状に工夫を講じるだけで、従来例に比べて、軸部の強度や、取扱性や使い勝手、刻印によるサイズなどの表示のしやすさなどが改善される。
【図面の簡単な説明】
【００１２】
【図１】本考案の実施形態に係る編み針の一部破断側面図である。
【図２】図１の編み針のＩＩ−ＩＩ線に沿う部分の拡大断面図である。
【図３】軸部の断面形状の説明図である。
【図４】軸部の断面形状の説明図である。
【図５】変形例の説明図である。
【図６】使用状態説明図である。
【図７】従来例による編み針の一部破断側面図である。
【図８】図７の編み針のＶＩＩＩ−ＶＩＩＩ線に沿う部分の拡大断面図である。
【考案を実施するための形態】
【００１３】
図１は本考案の実施形態に係る編み針Ａの一部破断側面図、図２は図１の編み針ＡのＩＩ−ＩＩ線に沿う部分の拡大断面図、図３及び図４は軸部の断面形状の説明図、図５は変形例の説明図、図６は使用状態説明図である。
【００１４】
図１に示した実施形態に係る編み針Ａは棒針であり、まっすぐな軸部１０の先端が先尖り状に形作られている。そして、図２に示したように、中実の軸部１０が、円弧面によって形成されたコーナー部１１を挟む両側に平坦面１２を有してなる略正四角形の断面形状を有している。この編み針Ａにおいては、図３に示したように、コーナー部１１を形成している円弧面の曲率半径ｒが、略正四角形の内心Ｐからコーナー部１１までの距離に一致している。ここで、略正四角形の内心Ｐの位置は、略正四角形の４つの辺に接する仮想線で示した内接円Ｃの中心の位置に一致する。
【００１５】
この編み針Ａによれば、編み目も揃えやすくなることが判っている。また、編み針Ａのサイズなどの刻印箇所として、平坦面１２を選択することが可能になるので、そのようにすることによって刻印を容易に行うことができ、刻印による表示も見やすくなる。また、
コーナー部を形成せずに単純に正多角形の断面形状とする場合と比べて、軸部１０の強度が向上する。
【００１６】
さらに、図６に例示したような使用状態においては、編み針Ａにループ状に毛糸２０を巻き掛けたときに、図１又は図２に示した軸部１０の平坦面１２とループ状の毛糸２０との間に隙間ができやすいので、その隙間を利用して、一方の編み針Ａに巻き掛けた毛糸２０に他方の編み針Ａを通しやすくなり、併せて、毛糸２０との摩擦も少なくなるという利点がある。また、平坦面１２に打設した刻印が毛糸２０に引掛からなくなるという利点もある。そのほか、コーナー部１１が円弧面になっていて角張っていないために手触りもよくなる。
【００１７】
図１又は図２に示したような軸部１０が略正四角形の断面形状を有する編み針Ａは、図４に説明的に示したように、仮想線で示した円形の断面形状を有する丸棒１５の９０度おきの間隔を隔てた４箇所（図中のハッチング箇所）を一定量だけ削り取ることによって４つの平坦面１２を形成すると共に、相隣接する２つの平坦面１２，１２の相互間のコーナー部１１を、元の丸棒１５の外周面の一部を残存させてなる円弧面によって形成することによって製作することが可能である。このようにして製作した編み針Ａでは、材料が木材や竹であっても、軸部１０のコーナー部１１に毛羽立ったようなささくれが生じにくいために、製作によって生じたささくれを取り除く手間を省略することができるという利点もある。
【００１８】
軸部の断面形状が略正四角形以外の略正多角形である場合も同様に、丸棒の外周面の間隔を隔てた複数箇所を削り取ることによって平坦面を形成し、相隣接する２つの平坦面の相互間のコーナー部に丸棒の外周面の一部を、残存させてなる円弧面によって形成しておくことが可能である。
【００１９】
以上説明した実施形態では、軸部１０の断面形状が略正四角形の編み針Ａを主に説明したけれども、この点は、軸部１０の断面形状を略正四角形以外の略正多角形、たとえば図５に例示したような略正三角形に形成することも可能である。このものも、軸部１０が、円弧面によって形成されたコーナー部１１を挟む両側に平坦面１２を有している。また、図示していないけれども、コーナー部１１を形成している円弧面の曲率半径は、略正三角形の内心からコーナー部１１までの距離に一致している。さらに、このものに関しても、仮想線で示した丸棒１５の外周面の間隔を隔てた３箇所を削り取ることによって平坦面１２が形成され、相隣接する２つの平坦面１２，１２の相互間のコーナー部１１が丸棒１５の外周面の一部を残存させてなる円弧面によって形成されている。
【００２０】
本考案に係る編み針には、上記した棒針に限定されることはなく、軸部の先端が鈎状に形作られている鈎針や、その他の輪針、なわ編み針なども含まれる。また、編み針に使われる材料は、木や竹のほか、金属、プラスチックなどであってもよい。
【符号の説明】
【００２１】
Ａ  編み針
１０  軸部
１１  コーナー部
１２  平坦面
１５  丸棒
ｒ  円弧面の曲率半径
Ｐ  略正四角形の内心
【図１】
0003223458.tif 000003
【図２】
0003223458.tif 000004
【図３】
0003223458.tif 000005
【図４】
0003223458.tif 000006
【図５】
0003223458.tif 000007
【図６】
0003223458.tif 000008
【図７】
0003223458.tif 000009
【図８】
0003223458.tif 000010